(57)【要約】【課題】部品コストを低減できるとともに、性能の低下を抑制できる光ピックアップを提供する。【解決手段】光ピックアップ１の往路には、第１の光学素子１３１と第２の光学素子１３２とを有する光軸一致手段１３が含まれる。第１の光学素子１３１には、第１の光源１１から出射される第１の波長光の一部を反射するとともに、第２の光源１２から出射される第２の波長光の少なくとも一部を反射する第１の反射面１３１ａが含まれる。第２の光学素子１３２には、第１の波長光の少なくとも一部を反射する第２の反射面１３２ａが含まれる。第１の反射面１３１ａを透過後、第２の反射面１３２ａ、第１の反射面１３１ａの順でそれぞれ反射された第１の波長光の光軸と、第２の反射面１３２ａを透過後、第１の反射面１３１ａで反射された第２の波長光の光軸とが一致している。【選択図】図２
2014053052.tif 000002
【特許請求の範囲】
【請求項１】
光源からの光を光記録媒体へと導く往路と、前記光記録媒体で反射された反射光を受光素子へと導く復路と、を備える光ピックアップであって、
前記光源には、互いに異なる波長の光を出射する第１の光源及び第２の光源が含まれ、
前記往路には、前記第１の光源から出射される第１の波長光と、前記第２の光源から出射される第２の波長光と、の光軸を一致させる光軸一致手段が含まれ、
前記光軸一致手段には、第１の光学素子と第２の光学素子とが含まれ、
前記第１の光学素子には、前記第１の波長光の一部を反射するとともに、前記第２の波長光の少なくとも一部を反射する第１の反射面が含まれ、
前記第２の光学素子には、前記第１の波長光の少なくとも一部を反射する第２の反射面が含まれ、
前記第１の反射面を透過後、前記第２の反射面、前記第１の反射面の順でそれぞれ反射された前記第１の波長光の光軸と、前記第２の反射面を透過後、前記第１の反射面で反射された前記第２の波長光の光軸と、が一致していることを特徴とする光ピックアップ。
【請求項２】
前記第１の光学素子と前記第２の光学素子とは、互いに対向配置される前記第１の反射面と前記第２の反射面とのなす角が第１の角度となるように配置され、
前記第１の光源は、前記第１の波長光が前記第１の反射面を透過する際に、入射角０°で前記第１の反射面に入射するように配置され、
前記第２の光源は、前記第２の波長光の前記第１の反射面への入射角が第２の角度となるように配置され、
前記第１の角度は、前記第２の角度の半値であることを特徴とする請求項１に記載の光ピックアップ。
【請求項３】
前記第１の光学素子及び前記第２の光学素子は平行平板状に設けられ、
前記第２の光学素子は、前記第２の波長光の入射角が０°より大きな所定の角度となるように傾けられていることを特徴とする請求項１又は２に記載の光ピックアップ。
【請求項４】
前記第１の光源から出射されて前記光記録媒体で反射された第１の反射光と、前記第２の光源から出射されて前記光記録媒体で反射された第２の反射光とが、いずれも、前記第１の光学素子を透過して前記受光素子に至ることを特徴とする請求項１から３のいずれかに記載の光ピックアップ。
【請求項５】
前記光源からの光を前記光記録媒体上に集光する対物レンズと、
前記光軸一致手段と前記対物レンズとの間の光路上に配置されて、光軸方向に移動可能なコリメートレンズと、を更に備えることを特徴とする請求項１から４のいずれかに記載の光ピックアップ。
【発明の詳細な説明】
【技術分野】
【０００１】
本発明は光ピックアップに関する。
【背景技術】
【０００２】
従来、光記録媒体に光を照射するとともに光記録媒体で反射された反射光（戻り光）を受光して、光記録媒体に記録される情報を読み取ったり、光記録媒体に情報を書き込んだりする光ピックアップが知られている。なお、光記録媒体の代表例として、例えば、ＢＤ（Blu-ray Disc;登録商標）、ＤＶＤ（Digital Versatile Disc）、ＣＤ（Compact Disc）等の光ディスクが挙げられる。
【０００３】
従来の光ピックアップの中には、例えば複数種類の光ディスクに対応するために、互いに異なる波長の光を出射する複数の光源を備えるものがある。このような光ピックアップでは、例えば光学部品の数を減らすことを狙って、各光源から出射された光が光ディスクに至るまでの間に、複数の光源から出射される光の光軸が一致するように構成されることが多い。
【０００４】
特許文献１には、２個のレーザ光源からのレーザビームを、光軸一致手段により光軸を一致させてディスク状記録媒体（光ディスク）に照射するようにした光ピックアップが開示される。光軸一致手段は、同じ板厚の第１の平板光学素子と第２の平板光学素子とを有する。２個のレーザ光源のうちの一方から出射されるレーザビームは、第１の平板光学素子及び第２の平板光学素子を順次屈折透過する。他方の光源から出射されるレーザビームは、第２の平板光学素子で反射される。２個のレーザ光源から出射されるレーザビームは、第２の平板光学素子から光ディスクに至るまでの間、光軸が一致する。特許文献１の構成によれば、光ピックアップを構成する部品点数を低減できるとともに、高価な光学部品を使用しないで済むといった利点がある。
【先行技術文献】
【特許文献】
【０００５】
【特許文献１】特開２００１−６２０５号公報
【発明の概要】
【発明が解決しようとする課題】
【０００６】
しかしながら、特許文献１の構成の場合、第１の平板光学素子と第２の平板光学素子とが、異なる軸回りに角度を傾けて配置される構成となるために、光ディスクに集光される光に大きなコマ収差が発生することが懸念される。コマ収差を打ち消すために、例えば対物レンズの傾き角を調整するチルト角補正手段を用いることが考えられるが、コストの上昇や、コマ収差を確実に補正できない可能性があるといった懸念がある。なお、前述の対物レンズは、光源からの光を光ディスクの記録面に集光する集光レンズのことである。
【０００７】
以上の点に鑑みて、本発明は、部品コストを低減できるとともに、性能の低下を抑制できる光ピックアップを提供することを目的とする。
【課題を解決するための手段】
【０００８】
上記目的を達成するために本発明の光ピックアップは、光源からの光を光記録媒体へと導く往路と、前記光記録媒体で反射された反射光を受光素子へと導く復路と、を備える光ピックアップであって、前記光源には、互いに異なる波長の光を出射する第１の光源及び第２の光源が含まれ、前記往路には、前記第１の光源から出射される第１の波長光と、前記第２の光源から出射される第２の波長光と、の光軸を一致させる光軸一致手段が含まれ、前記光軸一致手段には、第１の光学素子と第２の光学素子とが含まれ、前記第１の光学素子には、前記第１の波長光の一部を反射するとともに、前記第２の波長光の少なくとも一部を反射する第１の反射面が含まれ、前記第２の光学素子には、前記第１の波長光の少なくとも一部を反射する第２の反射面が含まれ、前記第１の反射面を透過後、前記第２の反射面、前記第１の反射面の順でそれぞれ反射された前記第１の波長光の光軸と、前記第２の反射面を透過後、前記第１の反射面で反射された前記第２の波長光の光軸とが一致している構成（第１の構成）とされる。なお、往路及び復路は、光学路の種類を特定する文言である。
【０００９】
本構成によれば、往路において、安価に製造可能な２つの光学素子を用いて第１の光源から出射される光と、第２の光源から出射される光との光軸を一致させる構成となっている。このために、例えばダイクロイックプリズムのような高価な部品を使用することを避けられる。すなわち、本構成によれば、光ピックアップの低コスト化が期待できる。また、本構成では、光軸一致手段として使用される第１の光学素子と第２の光学素子との構成及び配置の工夫により、非点収差やコマ収差の発生量を抑制することも可能である。すなわち、本構成によれば、複数種類の光記録媒体（例えば、ＢＤ、ＤＶＤ、ＣＤ等）に対する再生等の性能を向上して、粗悪な品質の光記録媒体への対応能力を向上させることも可能である。
【００１０】
上記第１の構成の光ピックアップにおいて、前記第１の光学素子と前記第２の光学素子とは、互いに対向配置される前記第１の反射面と前記第２の反射面とのなす角が第１の角度となるように配置され、前記第１の光源は、前記第１の波長光が前記第１の反射面を透過する際に、入射角０°で前記第１の反射面に入射するように配置され、前記第２の光源は、前記第２の波長光の前記第１の反射面への入射角が第２の角度となるように配置され、前記第１の角度は、前記第２の角度の半値である構成（第２の構成）とするのが好ましい。本構成によれば、光軸一致手段に要するコストを低コストしつつ、非点収差やコマ収差の発生量を抑制しやすい。
【００１１】
上記第１又は第２の構成の光ピックアップにおいて、前記第１の光学素子及び前記第２の光学素子は平行平板状に設けられ、前記第２の光学素子は、前記第２の波長光の入射角が０°より大きな所定の角度となるように傾けられている構成（第３の構成）であるのが好ましい。ここで、所定の角度は、第２の光源が有する非点収差を相殺、或いは、低減できる角度であるのが好ましい。本構成によれば、低コストで良好な性能を備える光ピックアップを提供しやすい。
【００１２】
上記第１から第３のいずれかの構成の光ピックアップにおいて、前記第１の光源から出射されて前記光記録媒体で反射された第１の反射光と、前記第２の光源から出射されて前記光記録媒体で反射された第２の反射光とが、いずれも、前記第１の光学素子を透過して前記受光素子に至る構成（第４の構成）であるのが好ましい。本構成によれば、往路において光軸一致手段の一部として使用される第１の光学素子を、復路において有効利用可能になる。例えば、第１の光学素子は、復路において、非点収差法によるフォーカスエラー信号の生成を可能とする非点収差付与手段として利用できる。
【００１３】
上記第１から第４のいずれかの構成の光ピックアップは、前記光源からの光を前記光記録媒体上に集光する対物レンズと、前記光軸一致手段と前記対物レンズとの間の光路上に配置されて、光軸方向に移動可能なコリメートレンズと、を更に備える構成（第５の構成）であってよい。本構成は、球面収差の補正が必要となる光ピックアップ（例えばＢＤに対応可能な光ピックアップ）に好適な構成である。
【発明の効果】
【００１４】
本発明によれば、部品コストを低減できるとともに、性能の低下を抑制できる光ピックアップを提供可能である。
【図面の簡単な説明】
【００１５】
【図１】本発明の実施形態に係る光ピックアップの外観構成を示す概略斜視図
【図２】本発明の実施形態に係る光ピックアップの光学構成を示す概略平面図
【図３】本発明の実施形態に係る光ピックアップの往路の構成を示す概略平面図
【図４】本発明の実施形態に係る光ピックアップの復路の構成を示す概略平面図
【図５】本発明の実施形態に係る光ピックアップの第１の変形例を示す概略平面図
【図６】本発明の実施形態に係る光ピックアップの第２の変形例を示す概略平面図
【発明を実施するための形態】
【００１６】
以下、本発明の光ピックアップの実施形態について、図面を参照しながら詳細に説明する。なお、実施形態に係る光ピックアップは、ＢＤ及びＤＶＤといった２種類の規格の光ディスクに対して情報の読み取り及び／又は情報の書き込みを行える光ピックアップを例に挙げて説明するが、このことは、本発明の適用範囲を限定する趣旨ではない。
【００１７】
図１は、本発明の実施形態に係る光ピックアップ１の外観構成を示す概略斜視図である。図１に示すように、光ピックアップ１はピックアップベース１０を備える。このピックアップベース１０には、光ピックアップ１を構成する各種の部材が搭載される。ピックアップベース１０の左右の端部には、軸受け部１０ａ、１０ｂが設けられている。ピックアップベース１０は、この軸受け部１０ａ、１０ｂを利用して、ガイドシャフト（不図示）に摺動可能に支持されるようになっている。
【００１８】
なお、ここでいうガイドシャフトは、光ディスク装置（光ディスクの再生及び／又は記録を行える装置）が備えるものである。光ディスク装置に搭載される光ピックアップ１は、ガイドシャフトに沿って移動しながら、回転する光ディスクの所望のアドレスにアクセスする。所望のアドレスにアクセスした光ピックアップ１は、光ディスクに光を照射して、光ディスクに記録される情報の読み取りや、光ディスクへの情報の書き込みを行う。
【００１９】
図２は、本発明の実施形態に係る光ピックアップ１の光学構成を示す概略平面図である。図２に示すように、光ピックアップ１は、第１の半導体レーザ１１と、第２の半導体レーザ１２と、光軸一致手段１３を構成する第１の光学素子１３１及び第２の光学素子１３２と、コリメートレンズ１４と、立ち上げミラー１５と、対物レンズ１６と、受光素子１７と、を備える。これらの部材は、上述のピックアップベース１０に搭載される。
【００２０】
光ピックアップ１は、第１の半導体レーザ１１及び第２の半導体レーザ１２からの光を光ディスクへと導く往路（往光路）と、光ディスクで反射された反射光を受光素子１７へと導く復路（復光路）と、を備える。以下、往路、及び、復路に分けて、光ピックアップ１の構成を説明する。
【００２１】
図３は、本発明の実施形態に係る光ピックアップ１の往路１ａの構成を示す概略平面図である。図３に示すように、光ピックアップ１の往路１ａを構成する部材には、第１の半導体レーザ１１と、第２の半導体レーザ１２と、第１の光学素子１３１と、第２の光学素子１３２と、コリメートレンズ１４と、立ち上げミラー１５と、対物レンズ１６と、が含まれる。
【００２２】
第１の半導体レーザ１１は、ＢＤ用のレーザ光（例えば波長４０５ｎｍ帯のレーザ光）を出射可能に設けられている。第２の半導体レーザ１２は、ＤＶＤ用のレーザ光（例えば波長６５０ｎｍ帯のレーザ光）を出射可能に設けられている。
【００２３】
第１の光学素子１３１は平行平板形状に設けられる。第１の光学素子１３１における、２つの板面のうちの一方面（第２の光学素子１３２と対向する側の面）には、第１の反射面（反射膜）１３１ａが形成されている。第１の反射面１３１ａは、第１の半導体レーザ１１から出射される第１の波長光１１ａの一部を反射するとともに、第２の半導体レーザ１２から出射される第２の波長光１２ａの一部を反射する。第１の反射面１３１ａで反射されない残りの光は、第１の反射面１３１ａを透過することになる。第１の反射面１３１ａは、例えばハーフミラーとして構成されてよい。
【００２４】
なお、後述のように、本実施形態では、第２の半導体レーザ１２から出射された光が、復路において第１の光学素子１３１を屈折透過する構成である。このために、第１の反射面１３１ａは、第２の半導体レーザ１２から出射される第２の波長光１２ａの一部を反射する構成としている。第２の半導体レーザ１２から出射された光が、復路において第１の光学素子１３１を透過しない構成が採用される場合には、第１の反射面１３１ａは、第２の半導体レーザ１２から出射される第２の波長光を全て反射するものであってよい。
【００２５】
第１の半導体レーザ１１は、当該レーザから出射される第１の波長光１１ａの光軸が、第１の光学素子１３１の板面（第１の反射面１３１ａ）と直交するように配置されている。すなわち、第１の半導体レーザ１１は、当該レーザから出射されて第１の反射面１３１ａを透過する光１１ａが入射角０°で第１の反射面１３１ａに入射するように配置されている。
【００２６】
第２の光学素子１３２も平行平板形状に設けられる。第２の光学素子１３２における、２つの板面のうちの一方面には、第２の反射面（反射膜）１３２ａが形成されている。第２の反射面１３２ａは、第１の半導体レーザ１１から出射される第１の波長光１１ａを全て反射する。一方、第２の反射面１３２ａは、第２の半導体レーザ１２から出射される第２の波長光１２ａは全て透過する。すなわち、第２の反射面１３２ａは、ダイクロイックミラーとして構成されている。
【００２７】
なお、第２の反射面１３２ａは、ダイクロイックミラーに代えて、例えばハーフミラー等としてもよい。第２の反射面１３２ａがハーフミラーで構成される場合、第２の反射面１３２ａは、第１の半導体レーザ１１及び第２の半導体レーザ１２から出射される光の一部を反射するものであってよい。
【００２８】
第２の光学素子１３２は、図３に示すように、第１の光学素子１３１に対して角度αだけ傾けられている（紙面に直交する軸回りに角度αだけ回転されている）。換言すると、第１の反射面１３１ａと第２の反射面１３２ａとがなす角は角度α（本発明の第１の角度に該当する）になっている。このために、第１の半導体レーザ１１から出射された第１の波長光１１ａ（第１の光学素子１３１を透過した光）が、第２の光学素子１３２の第２の反射面１３２ａに入射角αで入射することになる。そして、第２の光学素子１３２の第２の反射面１３２ａで反射された第１の波長光１１ａは、第１の光学素子１３１の第１の反射面１３１ａに入射角２αで入射されることになる。
【００２９】
第２の半導体レーザ１２から出射された第２の波長光１２ａは、第２の光学素子１３２を透過して、第１の光学素子１３１の第１の反射面１３１ａに入射角θ（本発明の第２の角度に該当する）で入射する。本実施形態の光ピックアップ１では、上述の角度αが角度θの半値であるように設定されている。このために、光軸一致手段１３から光ディスク側に向けて光が出射される時点において、第１の半導体レーザ１１から出射された第１の波長光１１ａの光軸と、第２の半導体素子１２から出射された第２の波長光１２ａの光軸とが一致した状態になる。換言すると、第１の波長光１１ａと第２の波長光１２ａとが、コリメートレンズ１４に入射する際の両者の光軸は一致している。
【００３０】
なお、この場合、第２の半導体レーザ１２から出射された第２の波長光１２ａは、入射角αで第２の光学素子１３２に入射することになる。角度αの大きさは、上述の入射角θの半値に設定されれば、その大きさは特に限定されるものではない。ただし、角度αは、第２の半導体レーザ１２が有している非点収差を相殺（或いは低減）できる大きさに設定されるのが好ましい。半導体レーザ素子は、活性領域の縦横の比率が異なり、レーザ光の発散角が接合面に対して垂直方向と水平方向とで異なって非点較差が生じることがある。上記は、この非点較差が原因となって生じる非点収差を相殺できるように角度αを設定するという趣旨である。
【００３１】
コリメートレンズ１４は、入射する光を平行光に変換する手段である。ただし、光ピックアップ１においては、コリメートレンズ１４は、レンズ駆動装置３０（図２参照）によって、その光軸方向（図２及び図３の左右方向）に移動可能になっている。コリメートレンズ１４の位置は、光ピックアップ１が対応する光ディスク種の変更やレイヤージャンプ等に応じて適宜移動される。このようにコリメートレンズ１４を光軸方向に移動可能とするのは、対物レンズ１６に入射する光の収束・発散度合いを調節して、球面収差の影響を適切に抑制するためである。
【００３２】
例えば、ＢＤには、厚み方向に複数の情報記録層を有するものがある。情報の読み取り等の対象となる情報記録層が異なると、カバー層の厚みの違いが原因となって球面収差の発生量が変動する。また、特にＢＤに対応する場合には、対物レンズ１６が樹脂製であると温度変化に伴う球面収差の発生量の変動が無視できなくなる。このような理由等のために、例えば光ピックアップ１がＢＤに対応する場合には、球面収差を補正する手段が必要となる。レンズ駆動装置３０は、球面収差補正機構として光ピックアップ１に導入されている。
【００３３】
なお、レンズ駆動装置３０は、コリメートレンズ１４を光軸方向に移動できればよく、その構成は特に限定されるものではない。レンズ駆動装置３０としては、例えば、駆動源にモータを用いてリードスクリュを回転し、このリードスクリュの回転を光軸方向に平行な直線方向の動きに変換する構成のもの等、公知の種々の構成が適用されてよい。
【００３４】
立ち上げミラー１５は、コリメートレンズ１４からの光を反射して、光の進行方向を変更する。図２及び図３においては、立ち上げミラー１５によって反射された光は、紙面手前側に向かう方向に進行する。
【００３５】
対物レンズ１６は、立ち上げミラー１５に対して離間配置され（図２及び図３では立ち上げミラー１５の手前側にある）、立ち上げミラー１５からの光を光ディスクの情報記録層（不図示）に集光する。なお、対物レンズ１６は、図１に示すように、対物レンズアクチュエータ２０に搭載された状態でピックアップベース１０上に配置される。対物レンズアクチュエータ２０は、対物レンズ１６をフォーカス方向及びトラッキング方向に移動可能とする装置である。フォーカス方向は、光ディスクに接離する方向である。また、トラッキング方向は、光ディスクの半径方向に平行な方向である。
【００３６】
光ピックアップ１においては、情報の読み取り等を行う際に、対物レンズ１６の焦点位置が常に光ディスクの情報記録層に合うようにフォーカシング制御を行う必要がある。また、光ピックアップ１においては、情報の読み取り等を行う際に、対物レンズ１６によって光ディスクの情報記録層に集光される光スポットの位置が、光ディスクのトラックに常に追随するようにトラッキング制御を行う必要がある。対物レンズアクチュエータ２０は、例えば、これらフォーカシング制御及びトラッキング制御を行う際に用いられる。
【００３７】
対物レンズアクチュエータ２０は、図１に示されるように、対物レンズ１６を保持するレンズホルダ２１を有し、レンズホルダ２１をワイヤ２２で揺動可能に支持する構成のものである。そして、対物レンズアクチュエータ２０は、コイル及び磁石を利用して発生させた力でレンズホルダ２１を動かす（すなわち対物レンズ１６を動かす）ものである。このようなタイプの対物レンズアクチュエータは公知であるので、ここでは、詳細な説明は省略する。なお、対物レンズアクチュエータは、他のタイプ（例えば軸摺動型）のものであっても構わない。
【００３８】
次に、復路の構成について説明する。図４は、本発明の実施形態に係る光ピックアップ１の復路１ｂの構成を示す概略平面図である。図４に示すように、光ピックアップ１の復路１ｂを構成する部材には、第１の光学素子１３１と、コリメートレンズ１４と、立ち上げミラー１５と、対物レンズ１６と、受光素子１７と、が含まれる。なお、受光素子１７以外は、往路１ａを構成する部材と共用されている。
【００３９】
第１の半導体レーザ１１から出射されて光ディスクで反射された第１の反射光１１ｂと、第２の半導体レーザ１２から出射されて光ディスクで反射された第２の反射光１２ｂとは、同一の経路（光路）を辿って受光素子１７に至る。すなわち、これらの反射光１１ｂ、１２ｂは、対物レンズ１６を透過し、立ち上げミラー１５で反射され、コリメートレンズ１４を透過する。コリメートレンズ１４を透過した反射光１１ｂ、１２ｂは、その一部が第１の光学素子１３１を屈折透過して、受光素子１７に集光される。
【００４０】
受光素子１７は、受光した光信号を電気信号に変換する光電変換手段として機能する。受光素子１７から出力された電気信号は図示しない信号処理部に送られ、この信号処理部によって、再生信号、フォーカスエラー（ＦＥ）信号、トラッキングエラー（ＴＥ）信号等が生成される。ＦＥ信号に基づいて上述のフォーカシング制御が行われ、ＴＥ信号に基づいて上述のトラッキング制御が行われる。
【００４１】
なお、平行平板状に形成される第１の光学素子１３１が反射光１１ｂ、１２ｂの光軸に対して傾いているために、反射光１１ｂ、１２ｂには非点収差が与えられる。このようにして与えられる非点収差のために、シリンドリカルレンズ等の非点収差付与手段を配置しなくても、非点収差法によるＦＥ信号を得られる。また、ＴＥ信号は、プッシュプル法によって得てもよいが、場合によっては、回折素子（グレーティング）やホログラム素子を適所に配置して、別の方法で得られてもよい。
【００４２】
以上のように構成される光ピックアップ１では、第１の半導体レーザ１１から出射される光の光軸と、第２の半導体レーザ１２から出射される光の光軸とを、ダイクロイックプロイズム等の高価な光学部品を使用することなく、安価な光学部材で実現している。このために、光ピックアップの製造コストを抑制できる。
【００４３】
また、光ピックアップ１では、第１の半導体レーザ１１から出射される光は、平行平板状に設けられる第１の光学素子１３１に入射角０°で入射（板面に垂直に入射）し、光路上で非点収差やコマ収差を発生することなく対物レンズ１６へと至る。このために、第１の半導体レーザ１１から出射された光は、光ディスク上に良質の光スポットを形成できる。
【００４４】
また、光ピックアップ１では、平行平板状に設けられる第２の光学素子１３２は、その法線が第２の半導体レーザ１２から出射される光の光軸に対して所定の角度（角度α）だけ傾けられている。この所定の角度が、第２の半導体レーザ１２が有する非点収差を相殺或いは低減するように構成されることで、第２の半導体レーザ１１から出射されて対物レンズ１６へと至る光に発生する非点収差は所望のレベルにできる。また、第２の光学素子１３２が上述のように傾けられることでコマ収差が発生する。しかしながら、第２の半導体レーザが有する非点収差を相殺するために必要となる傾け角は小さくて済むために、第２の光学素子１３２の厚みを適切に構成することで、上記コマ収差の発生量は低く抑えることができる。すなわち、光ピックアップ１では、第２の半導体レーザ１２から出射された光も、光ディスク上に良質の光スポットを形成できる。
【００４５】
本実施形態の光ピックアック１では、以上の説明からわかるように非点収差やコマ収差を抑制するための機構を別途用意しなくてもよいために、部品点数を抑制できる。また、往路において光軸一致手段として機能する平行平板状の光学素子を、復路において非点収差付与手段として利用しているために、別途シリンドリカルレンズ等を配置する必要がない。この点からも、光ピックアップ１は部品点数を抑制できると言える。
【００４６】
本実施形態の光ピックアップ１は、上述のように、部品コストを抑制しつつ、収差の影響を適切に抑制して光ピックアップの性能低下を防ぐことが可能になっている。そして、このような光ピックアップ１は、光ディスクの特性に多少のばらつきがあっても対応できるために、ユーザにとっても便利である。
【００４７】
以上に示した実施形態は本発明の例示であり、本発明の光ピックアップは、以上に示した実施形態の構成に限定されず、本発明の技術思想の範囲内で適宜変更可能である。
【００４８】
例えば、以上の実施形態では、対物レンズ１６はＢＤに対応する場合とＤＶＤに対応する場合との両方で使用可能に設けられている。ただし、本発明の光ピックアップは、この構成に限定される趣旨ではない。図５に示すように、ＢＤに対応する場合とＤＶＤに対応する場合とで、使用する対物レンズが異なる構成（換言すると、光ピックアップが備える対物レンズが複数である構成）とされてもよい。なお、図５において、以上に示した実施形態と重複する部分には同一の符号を付している。重複する部分については、説明を省略する。
【００４９】
図５において、符号１６ａはＢＤ用の対物レンズであり、符号１６ｂはＤＶＤ用の対物レンズである。図５の構成では、対物レンズが２つとされたことに対応して、２つの立ち上げミラー１５ａ、１５ｂを有する構成になっている。対物レンズ１６ａの下方に配置される立ち上げミラー１５ａは、ＢＤ用のレーザ光を反射し、ＤＶＤ用のレーザ光を透過するダイクロイックミラーとしてよい。対物レンズ１６ｂの下方に配置される立ち上げミラー１５ｂは、ＤＶＤ用のレーザ光を全て反射するミラーであってよい。
【００５０】
また、以上に示した実施形態では、光ピックアップ１がＢＤ及びＤＶＤの２種類の規格の光ディスクに対応する構成とした。ただし、本発明の光ピックアップは、この構成に限定される趣旨ではなく、本発明の光ピックアップは３種類以上の規格の光ディスクに対応するものであってよい。また、２種類の規格の光ディスクに対応する場合において、ＢＤ及びＤＶＤ以外の組み合わせの光ディスクに対応するものであってよい。対応する光ディスクに例えばＢＤを含まないような場合、コリメートレンズ１４が抹消されても構わない。
【００５１】
図６に、本発明がＢＤ、ＤＶＤ、ＣＤの３種類の規格の光ディスクに対応する場合の構成例を示す。なお、図６において、以上に示した実施形態と重複する部分には同一の符号を付している。重複する部分については説明を省略する。第２の半導体レーザ１２´は、ＤＶＤ用の波長（例えば６５０ｎｍ体）のレーザ光と、ＣＤ用の波長（例えば７８０ｎｍ帯）のレーザ光を切り替えて出射する。
【００５２】
ＤＶＤ用のレーザ光を出射する発光点と、ＣＤ用のレーザ光を出射する発光点は位置がずれている。このために、２つのレーザ光は、受光素子１７に至るまで、光軸がずれた状態になる。図６に示す構成では、実線がＤＶＤ用（一部、ＢＤ用）のレーザ光の光軸に該当し、破線がＣＤ用のレーザ光の光軸に該当する。光軸一致手段１３は、ＢＤ用のレーザ光（第１の半導体レーザ１１から出射される）の光軸と、ＤＶＤ用のレーザ光の光軸を一致させる機能を有する。しかし、光軸一致手段１３は、ＢＤ用のレーザ光の光軸と、ＣＤ用のレーザ光の光軸は一致させない。この構成では、ＤＶＤ用のレーザ光を出射する発光点が本発明の第２の光源に該当することになる。
【００５３】
また、以上の実施形態においては、光軸一致手段１３を構成する２つの光学素子１３１、１３２が平行平板状に形成される構成とした。しかしながら、これらの光学素子は、場合によっては、断面視台形状等、他の形状に変更されても構わない。
【符号の説明】
【００５４】
１  光ピックアップ
１ａ  往路
１ｂ  復路
１１  第１の半導体レーザ（第１の光源）
１１ａ  第１の波長光
１１ｂ  第１の反射光
１２  第２の半導体レーザ（第２の光源）
１２ａ  第２の波長光
１２ｂ  第２の反射光
１３  光軸一致手段
１４  コリメートレンズ
１６、１６ａ、１６ｂ  対物レンズ
１３１  第１の光学素子
１３１ａ  第１の反射面
１３２  第２の光学素子
１３２ａ  第２の反射面
【図１】
2014053052.tif 000003
【図２】
2014053052.tif 000004
【図３】
2014053052.tif 000005
【図４】
2014053052.tif 000006
【図５】
2014053052.tif 000007
【図６】
2014053052.tif 000008